(57)【要約】【課題】ロ−ル紙の一部がプラテンから浮いたりせずにロ−ル紙を安定して搬送できる紙搬送装置を提供する。【解決手段】腰付けユニット１００は、画像形成領域に到達する前のロ−ル紙Ｐのカール癖を除去若しくは緩和するものであり、搬送ローラ５６と画像形成領域との間に配置されている。腰付けユニット１００は、ロ−ル紙Ｐのうち搬送ローラ５６を通過した直後の部分の両面側（上面（画像形成面）側と下面側）に位置するように配置された２本の回転軸１０２，１０４を備えている。回転軸１０２はロ−ル紙Ｐの上面側を矢印Ｂ方向に平行に延びている。回転軸１０４はロ−ル紙Ｐの下面側を矢印Ｂ方向に平行に延びている。回転軸１０２，１０４の長さはプラテン１６の幅（矢印Ｂ方向の長さ）よりも十分に長い。【選択図】図４
2006124136.tif 000002
【特許請求の範囲】
【請求項１】
一対のローラでロ−ル紙を挟持してプラテン上を所定の搬送方向に搬送する紙搬送装置において、
前記一対のローラよりも前記搬送方向の下流側に配置された、前記ロ−ル紙のカール癖を除去若しくは緩和する腰付けユニットを備えたことを特徴とする紙搬送装置。
【請求項２】
前記一対のローラは、
ロ−ル紙が挟持されるニップにおける接線が前記プラテンに交わるものであることを特徴とする請求項１に記載の紙搬送装置。
【請求項３】
前記一対のローラは、
ロ−ル紙が挟持されるニップにおける接線が前記プラテン上面に平行なものであることを特徴とする請求項１に記載の紙搬送装置。
【請求項４】
前記プラテンよりも前記搬送方向の下流側に配置された、ロ−ル紙を挟持して排出する排紙ローラを備え、
該排紙ローラがロ−ル紙を搬送する速度は、前記一対のローラがロ−ル紙を搬送する速度よりも速いことを特徴とする請求項１，２，又は３に記載の紙搬送装置。
【請求項５】
前記腰付けユニットは、
複数のローラを備えたものであることを特徴とする請求項１から４までのうちのいずれか一項に記載の紙搬送装置。
【請求項６】
前記複数のローラは、
前記搬送方向に直交する紙幅方向に並んで配置されたものであることを特徴とする請求項５に記載の紙搬送装置。
【請求項７】
前記複数のローラは、
搬送中のロ−ル紙の上面に接触する上面側ローラと、搬送中のロ−ル紙の下面に接触する下面側ローラからなるものであり、
前記上面側ローラがロ−ル紙の上面に接触する位置は、前記下面側ローラがロ−ル紙の下面に接触する位置よりも低い位置であることを特徴とする請求項６に記載の紙搬送装置。
【請求項８】
前記複数のローラは、
搬送中のロ−ル紙の上面に接触する上面側ローラと、搬送中のロ−ル紙の下面に接触する下面側ローラからなるものであり、
前記下面側ローラがロ−ル紙の下面に接触する位置は、前記上面側ローラがロ−ル紙の上面に接触する位置よりも高い位置であることを特徴とする請求項６に記載の紙搬送装置。
【請求項９】
前記腰付けユニットの前記複数のローラは、
前記一対のローラの搬送速度よりも速く、且つ、前記排紙ローラの搬送速度よりも遅いものであることを特徴とする請求項５から８までのうちのいずれか一項に記載の紙搬送装置。
【請求項１０】
前記下面側ローラに代えて、
リブ状の部材を配置したことを特徴とする請求項７，８，又は９に記載の紙搬送装置。
【請求項１１】
搬送中のロ−ル紙の先端が前記プラテン上を通過して前記排紙ローラに到達したときに、前記腰付けユニットはカール癖を除去又は緩和する機能を解除されることを特徴とする請求項１から１０までのうちのいずれか一項に記載の紙搬送装置。
【請求項１２】
搬送中のロ−ル紙の先端が前記プラテン上を通過しているときに、前記腰付けユニットはカール癖を除去又は緩和する機能を解除されることを特徴とする請求項１から１０までのうちのいずれか一項に記載の紙搬送装置。
【請求項１３】
ロ−ル紙を前記搬送方向とは反対方向に搬送するバックフィードの際には、前記腰付けユニットはカール癖を除去又は緩和する機能を解除されることを特徴とする請求項１から１２までのうちのいずれか一項に記載の紙搬送装置。
【請求項１４】
請求項１から１３までのうちのいずれか一項に記載の紙搬送装置を備え、
該紙搬送装置に搬送されているロ−ル紙に画像を形成することを特徴とする画像形成装置。
【発明の詳細な説明】
【技術分野】
【０００１】
本発明は、一対のローラでロ−ル紙を挟持して搬送する紙搬送装置及びこの紙搬送装置が組み込まれた画像形成装置に関する。
【背景技術】
【０００２】
印字ヘッド（記録ヘッド）から記録紙などの記録媒体にインクを吐出して画像を形成するインクジェット方式の画像形成装置が広く使用されている。この画像形成装置には、通常、記録媒体のうちインクが吐出される部分を載置しておくプラテン、記録媒体を挟持してプラテンに向けて搬送する一対のローラ（搬送ローラとピンチローラ）、記録媒体のうち画像の形成された部分を挟持して排出する排紙ローラなどが備えられている。
【０００３】
プラテンは印字ヘッドの下方に位置しており、印字ヘッドからプラテンまでの距離（間隔）は、高品位の画像を形成するために一定の間隔に保たれている。印字ヘッドから記録媒体までの距離をこの一定の間隔に保つために、記録媒体をプラテンに吸引して密着させる吸引ユニットが備えられている。この吸引ユニットによって記録媒体はプラテンに密着するので、記録媒体はプラテンから浮き上がらずに、印字ヘッドから記録媒体までの距離は一定に保たれる。
【発明の開示】
【発明が解決しようとする課題】
【０００４】
ところで、上記した画像形成装置には、ロール状に巻かれたロ−ル紙に画像を形成するタイプのものもある。このタイプの画像形成装置では、ロ−ル紙を一端から引き出しながらこの引き出した部分に画像を形成する。ロ−ル紙の引き出された部分には、ロール状に巻かれていたときの湾曲した巻き癖（カール癖）が付いたままになっていることが多い。ロ−ル紙の引き出された部分にカール癖が付いている場合、吸引ユニットが作動しても、引き出された部分がプラテンに密着せずに一部が浮き上がったままになることがある。引き出された部分の一部が浮き上がったままであるときは、この浮き上がった部分が印字ヘッドに接触したり紙詰まりが生じたりするおそれがある。
【０００５】
上記した浮き上がりを防止するために、吸引ユニットの吸引力を強めた場合は、この強めた吸引力によってロ−ル紙の搬送が阻害されるおそれがある。また、ロ−ル紙の先端が排紙ローラに到達していないときは、ロ−ル紙の先端は吸引ユニットの吸引力のみによってプラテンに密着している。このため、搬送ローラから排紙ローラまでの距離が長いタイプの画像形成装置では、ロ−ル紙の引き出された部分の一部が浮き上がったままであるときは斜行などが発生するおそれがある。
【０００６】
本発明は、上記事情に鑑み、ロ−ル紙の一部がプラテンから浮いたりせずにロ−ル紙を安定して搬送できる紙搬送装置及び画像形成装置を提供することを目的とする。
【課題を解決するための手段】
【０００７】
上記目的を達成するための本発明の紙搬送装置は、一対のローラでロ−ル紙を挟持してプラテン上を所定の搬送方向に搬送する紙搬送装置において、
（１）前記一対のローラよりも前記搬送方向の下流側に配置された、前記ロ−ル紙のカール癖を除去若しくは緩和する腰付けユニットを備えたことを特徴とするものである。
【０００８】
ここで、
（２）前記一対のローラは、ロ−ル紙が挟持されるニップにおける接線が前記プラテンに交わるものであってもよい。
【０００９】
また、
（３）前記一対のローラは、ロ−ル紙が挟持されるニップにおける接線が前記プラテン上面に平行なものであってもよい。
【００１０】
さらに、
（４）前記プラテンよりも前記搬送方向の下流側に配置された、ロ−ル紙を挟持して排出する排紙ローラを備え、
（５）該排紙ローラがロ−ル紙を搬送する速度は、前記一対のローラがロ−ル紙を搬送する速度よりも速くなるように構成してもよい。
【００１１】
さらにまた、
（６）前記腰付けユニットは、複数のローラを備えたものであってもよい。
【００１２】
さらにまた、
（７）前記複数のローラは、前記搬送方向に直交する紙幅方向に並んで配置されたものであってもよい。
【００１３】
さらにまた、
（８）前記複数のローラは、
（８―１）搬送中のロ−ル紙の上面に接触する上面側ローラと、
（８―２）搬送中のロ−ル紙の下面に接触する下面側ローラからなるものであり、
（９）前記上面側ローラがロ−ル紙の上面に接触する位置は、前記下面側ローラがロ−ル紙の下面に接触する位置よりも低い位置であってもよい。
【００１４】
さらにまた、
（１０）前記複数のローラは、
（１０−１）搬送中のロ−ル紙の上面に接触する上面側ローラと、
（１０−２）搬送中のロ−ル紙の下面に接触する下面側ローラからなるものであり、
（１１）前記下面側ローラがロ−ル紙の下面に接触する位置は、前記上面側ローラがロ−ル紙の上面に接触する位置よりも高い位置であってもよい。
【００１５】
さらにまた、
（１２）前記腰付けユニットの前記複数のローラは、
（１３）前記一対のローラの搬送速度よりも速く、且つ、前記排紙ローラの搬送速度よりも遅いものであってもよい。
【００１６】
さらにまた、
（１４）前記下面側ローラに代えて、リブ状の部材を配置してもよい。
【００１７】
さらにまた、
（１５）搬送中のロ−ル紙の先端が前記プラテン上を通過して前記排紙ローラに到達したときに、前記腰付けユニットはカール癖を除去又は緩和する機能を解除されるように構成してもよい。
【００１８】
さらにまた、
（１６）搬送中のロ−ル紙の先端が前記プラテン上を通過しているときに、前記腰付けユニットはカール癖を除去又は緩和する機能を解除されるように構成してもよい。
【００１９】
さらにまた、
（１７）ロ−ル紙を前記搬送方向とは反対方向に搬送するバックフィードの際には、前記腰付けユニットはカール癖を除去又は緩和する機能を解除されるように構成してもよい。
【００２０】
また、上記目的を達成するための本発明の画像形成装置は、
（１８）上記した紙搬送装置を備え、該紙搬送装置に搬送されているロ−ル紙に画像を形成することを特徴とするものである。
【発明の効果】
【００２１】
本発明によれば、腰付けユニットによってロ−ル紙のカール癖が除去若しくは緩和されるので、プラテンにおける吸引力によってロ−ル紙はプラテンに密着する。この結果、ロ−ル紙の一部がプラテンから浮いたりせずにロ−ル紙を安定して搬送できる。
【発明を実施するための最良の形態】
【００２２】
本発明は、複数のラベルが仮付けされたロ−ル紙のラベルに画像を形成するプリンタに実現された。
【実施例１】
【００２３】
図１と図２を参照して、本発明の画像形成装置の一例であるプリンタの全体構成を説明する。
【００２４】
図１は、本発明の画像形成装置の一例であるプリンタを模式的に示す側面図である。図２は、図１のプリンタのキャリッジユニットとその周辺を示す上面図である。
【００２５】
プリンタ１０は、このプリンタ１０に画像情報を送るホストＰＣ（パソコン）（図示せず）に接続されている。プリンタ１０には、４つの印字ヘッド２２Ｋ、２２Ｃ、２２Ｍ、２２Ｙ（印字ヘッド２２）が搭載されたキャリッジ本体１２が備えられている。キャリッジ本体１２は、図１の紙面に直交する方向（矢印Ａ方向に直交する方向であり、図２の矢印Ｂ方向（走査方向）であり、紙幅方向でもある。）に走査（往復動）する。４つの印字ヘッド２２Ｋ、２２Ｃ、２２Ｍ、２２Ｙは、記録媒体（ここではロ−ル紙）Ｐの搬送方向（矢印Ａ方向）に並んでキャリッジ本体１２に搭載されている。４つの印字ヘッド２２Ｋ、２２Ｃ、２２Ｍ、２２Ｙからはそれぞれ黒、シアン、マゼンタ、イエローの各色のインクが吐出される。これら４つの印字ヘッド２２Ｋ、２２Ｃ、２２Ｍ、２２Ｙは、キャリッジ本体１２と共に走査方向に走査（往復動）する。なお、キャリッジ本体１２の走査領域の近傍には、キャリッジ本体１２の位置を検出する検出センサ５３が配置されている。
【００２６】
ロ−ル紙Ｐはロール紙供給ユニット１４から供給されて、プリンタ１０に組み込まれた紙搬送装置６０によって、プラテン１６上を矢印Ａ方向に搬送される。紙搬送装置６０は、ロ−ル紙Ｐを印字ヘッド２２の下方（画像形成領域）に搬送するピンチローラ５４と搬送ローラ５６を有する。ピンチローラ５４と搬送ローラ５６でロ−ル紙Ｐを挟持して矢印Ａ方向に搬送する。画像形成領域よりも搬送方向下流側には、ロ−ル紙Ｐを挟持しながら排出する拍車５８と排紙ローラ５９が配置されている。なお、ピンチローラ５４と画像形成領域の間にはロ−ル紙Ｐを検知する検知センサ６１が配置されており、拍車５８と画像形成領域の間にはロ−ル紙Ｐを検知する検知センサ６２が配置されている。紙搬送装置６０の詳細については、図３と図４を参照して後述する。
【００２７】
ロ−ル紙Ｐに画像を形成する際には、搬送ローラ５６などによって搬送中のロ−ル紙Ｐを一旦（一時的に）停止させて、記録データ（画像情報）に基づいて各印字ヘッド２２からインクを選択的に吐出してカラー画像をロ−ル紙Ｐに形成する。プリンタ１０には、上記の部品・部材の他、各印字ヘッド２２Ｋ、２２Ｃ、２２Ｍ、２２Ｙに供給されるインクを貯めておくメインタンク２４Ｋ、２４Ｃ、２４Ｍ、２４Ｙ、これら各メインタンク２４Ｋ、２４Ｃ、２４Ｍ、２４Ｙから各印字ヘッド２２Ｋ、２２Ｃ、２２Ｍ、２２Ｙまでをつなぐインク供給チューブ２６Ｋ、２６Ｃ、２６Ｍ、２６Ｙなどが備えられている。
【００２８】
プリンタ１０には、キャリッジ本体１２を走査方向（矢印Ｂ方向）に案内する２本のガイドレール１８，２０も備えられている。キャリッジ本体１２とガイドレール１８は、ベアリング８２などを介して接触している。一方、キャリッジ本体１２とガイドレール２０は転がり軸受９０を介して接触している。
【００２９】
キャリッジ本体１２のうち矢印Ａ方向一端部（固定部１２ａ）には、無端の駆動ベルト３０の一部が固定されている。一方、キャリッジ本体１２のうち矢印Ａ方向他端部（固定部１２ｂ）には、無端の駆動ベルト４０の一部が固定されている。２つの駆動ベルト３０，４０は走査方向に延びている。上記した固定部１２ｂは、２本の駆動ベルト３０，４０の位相ずれに起因してキャリッジ本体１２が走査方向に不安定に移動することを防止するために、その位置を走査方向に自在に調整して固定できるように構成されている。
【００３０】
駆動ベルト３０の長手方向両端部はプーリ３２，３４に掛け渡されて所定の張力で駆動ベルト３０が張られている。駆動ベルト４０の長手方向両端部はプーリ４２，４４に掛け渡されて所定の張力で駆動ベルト４０が張られている。プーリ３４，４４は駆動モータ３６の駆動軸３６ａに固定されており、この駆動モータ３６が駆動することによって駆動ベルト３０，４０が回転してキャリッジ本体１２と共に印字ヘッド２２が走査方向に走査する。なお、駆動軸３６ａは矢印Ａ方向に延びており、駆動ベルト３０，４０の回転を同期させている。また、プーリ３２，４２は、駆動ベルト３０，４０の張りを適正に保つために走査方向（矢印Ｂ方向）に自在に移動して固定できるように構成されている。
【００３１】
図３と図４を参照して、上記した紙搬送装置６０について説明する。
【００３２】
図３は、紙搬送装置を模式的に示す側面図である。図４は、図３の紙搬送装置の腰付けユニットを示す正面図である。
【００３３】
紙搬送装置６０は、上述したピンチローラ５４と搬送ローラ５６、及び拍車５８と排紙ローラ５９の他、ロ−ル紙Ｐのカール癖を除去若しくは緩和する腰付けユニット１００を備えている。さらに、紙搬送装置６０には、搬送ローラ５６と排紙ローラ５９を回転させるための搬送モータ、後述する搬送ベルト７４の張力を調整するための調整ローラ７２、搬送モータ７０の駆動力を搬送ローラ５６や排紙ローラ５９、調整ローラ７２に伝達する搬送ベルト７４などが備えられている。搬送ベルト７４は、搬送ローラ５６、排紙ローラ５９、及び調整ローラ７２それぞれの回転軸に掛けられている。
【００３４】
ピンチローラ５４と搬送ローラ５６がロ−ル紙Ｐを挟持する部分（ニップ、ピンチローラ５４と搬送ローラ５６がロ−ル紙Ｐを介して接触している部分）における接線Ｓ（ピンチローラ５４の回転中心と搬送ローラ５６の回転中心を結ぶ線分Ｌに、ニップにおいて直交する直線）はプラテン１６に交わる。すなわち、ピンチローラ５４の回転中心軸５４ａは、搬送ローラ５６の回転中心軸５６ａよりも搬送方向下流側に位置している。このため、ピンチローラ５４と搬送ローラ５６で挟持されたロ−ル紙Ｐはニップを通過した後、図３に示すように、プラテン１６に押し付けられるように搬送される。このため、ロ−ル紙Ｐはプラテン１６に密着し易い。なお、上記したニップの接線がプラテン１６の上面に平行になるようにピンチローラ５４と搬送ローラ５６を配置してもよい。
【００３５】
プラテン１６には複数の孔が形成されており、ロ−ル紙Ｐはプラテン１６の下方に配置された吸引ファン１７によってプラテン１６上に吸着される。プラテン１６上に搬送されたロ−ル紙Ｐは、画像形成領域（印字ヘッド２２の下方）を通過して、画像形成領域よりも搬送方向下流側に配置された排紙ローラ５９に到達し、プリンタ１０から排出される。また、搬送ローラ５６でロ−ル紙Ｐを搬送しているときにロ−ル紙Ｐが弛むことを防止するために、排紙ローラ５９は搬送ローラ５６に比べて約１０％程度回転速度（搬送速度）が速くなるよう設定されている。ここでは、搬送ローラ５６の直径よりも排紙ローラ５９の直径を大きくすることにより、排紙ローラ５９の搬送速度を搬送ローラ５６の搬送速度よりも速くしている。また、ロ−ル紙Ｐを通常の搬送方向（矢印Ａ方向）とは反対の方向に搬送（以下、バックフィード）させる際に弛みの発生を防ぐために、ワンウェイクラッチ（図示せず）を用いて排紙ローラ５９がバックフィード方向には駆動しないように構成されている。
【００３６】
腰付けユニット１００は、画像形成領域に到達する前のロ−ル紙Ｐのカール癖を除去若しくは緩和するものであり、搬送ローラ５６と画像形成領域との間に配置されている。腰付けユニット１００は、図４に示すように、ロ−ル紙Ｐのうち搬送ローラ５６を通過した直後の部分の両面側（上面（画像形成面）側と下面側）に位置するように配置された２本の回転軸１０２，１０４を備えている。回転軸１０２はロ−ル紙Ｐの上面側を矢印Ｂ方向に平行に延びている。回転軸１０４はロ−ル紙Ｐの下面側を矢印Ｂ方向に平行に延びている。回転軸１０２，１０４の長さはプラテン１６の幅（矢印Ｂ方向の長さ）よりも十分に長い。なお、プラテン１６と搬送ローラ５６との間に腰付けユニット１００を配置してもよい。また、回転軸１０２（又は１０４）の長手方向一端部には、この回転軸１０２を回転させるモータ（図示せず）の回転軸が連結されている。このモータを駆動させることにより回転軸１０２が所定の回転速度で回転する。
【００３７】
回転軸１０２には、複数の上面側ローラ１１２（図４には１つだけを示す）が固定されている。複数の上面側ローラ１１２は矢印Ｂ方向（紙幅方向）に等間隔で並んで固定されており、ロ−ル紙Ｐの上面に接触する。回転軸１０４には複数の下面側ローラ１１４（図４には２つだけを示す）が固定されている。複数の下面側ローラ１１４は矢印Ｂ方向に等間隔で並んで固定されており、ロ−ル紙Ｐの下面に接触する。上面側ローラ１１２がロ−ル紙Ｐの上面に接触する位置（上面接触位置）は、下面側ローラ１１４がロ−ル紙Ｐの下面に接触する位置（下面接触位置）よりも距離Ｌだけ低い。換言すれば、下面側ローラ１１４がロ−ル紙Ｐの下面に接触する位置は、上面側ローラ１１２がロ−ル紙Ｐの上面に接触する位置よりも距離Ｌだけ高い。また、上面側ローラ１１２と下面側ローラ１１４は、図４に示すように、矢印Ｂ方向においては互いにずれた位置に配置されている。
【００３８】
上記のように、上面側ローラ１１２と下面側ローラ１１４は矢印Ｂ方向に交互に配置されると共に上面接触位置は下面接触位置よりも低い（下面接触位置が上面接触位置よりも高い）ので、ロ−ル紙Ｐのうち画像形成領域に到達する前の部分に強制的に「腰」を付けることができる。このため、腰付けユニット１００によってロ−ル紙Ｐのカール癖が除去若しくは緩和されるので、プラテン１６における吸引力によってロ−ル紙Ｐはプラテン１６に密着する。この結果、ロ−ル紙Ｐの一部がプラテン１６から浮き上がらずにロ−ル紙Ｐを安定して搬送できる。
【００３９】
上面側ローラ１１２の回転軸１０２と下面側ローラ１１４の回転軸１０４の位置関係は、搬送ローラ５６の回転軸５６ａとピンチローラ５４の回転軸５４ａの位置関係と同様に、回転軸１０２が回転軸１０４よりも搬送方向下流側に位置するように配置されている。すなわち、図３に示すように、上面側ローラ１１２が下面側ローラ１１４よりもやや搬送方向下流側に位置している。このため、腰付けユニット１００を通過したロ−ル紙Ｐは、図３に示すように、プラテン１６に押し付けられるように搬送される。この結果、ロ−ル紙Ｐはプラテン１６にいっそう密着し易くなる。
【００４０】
上面側ローラ１１２はばねなどの弾性体を介して回転軸１０２に固定されている。同様に、下面側ローラ１１４はばねなどの弾性体を介して回転軸１０４に固定されている。この弾性体の弾性力を調整することにより、上面側ローラ１１２と下面側ローラ１１４がロ−ル紙Ｐに接触するときの圧力（接触圧）を調整できるので、ロ−ル紙Ｐの「腰」の強さを調整できることとなる。なお、上記のばねを使用せずに、上面側ローラ１１２を直接に回転軸１０２に固定すると共に下面側ローラ１１４を直接に回転軸１０４に固定しておき、回転軸１０２，１０４の長手方向両端部をばねでロ−ル紙Ｐに向けて付勢し、このばねの付勢力を調整することによりロ−ル紙Ｐの「腰」の強さを調整するように構成してもよい。
【００４１】
搬送中のロ−ル紙Ｐの先端が排紙側の検知センサ６２（図１参照）（又はプラテン１６）を通過して排紙ローラ５９に到達したときには、ロ−ル紙Ｐがプラテン１６に密着しているので、回転軸１０４と共に下面側ローラ１１４が降下して、腰付けユニット１００の腰付け機能（カール癖を除去又は緩和する機能）が解除されるように構成されている。回転軸１０４と共に下面側ローラ１１４を降下させる構成としては、ソレノイドを用いて回転軸１０４を上下動させる構成が挙げられる。
【００４２】
また、ロ−ル紙Ｐをバックフィードさせて給紙側に戻すときにも、上記と同様に、回転軸１０４と共に下面側ローラ１１４を降下させて腰付けユニット１００の腰付け機能が解除されるように構成されている。なお、回転軸１０２と共に上面側ローラ１１２を上下動させる構成にしてもよい。
【００４３】
また、上面側ローラ１１２と下面側ローラ１１４の回転速度（搬送速度）は、搬送ローラ５６の回転速度よりも速いが、排紙ローラ５９の回転速度よりも遅くなるように構成されている。このため、ロ−ル紙Ｐの弛みは確実に防止される。また、搬送中のロ−ル紙Ｐの先端がプラテン１６上を通過しているときには、ロ−ル紙Ｐがプラテン１６に密着し易いので、腰付けユニット１００のカール癖を除去又は緩和する機能が解除されるように構成して搬送抵抗を減らしてもよい。
【００４４】
上記した下面側ローラ１１４に代えて、リブ状の部材を配置してもよい。ただし、印字面（ロ−ル紙Ｐの上面）と接する上面側ローラ１１２は、ロ−ル紙Ｐとの摺動性を考慮してローラのような回転体にする方が好ましい。
【図面の簡単な説明】
【００４５】
【図１】本発明の画像形成装置の一例であるプリンタを模式的に示す側面図である。
【図２】図１のプリンタのキャリッジユニットとその周辺を示す上面図である。
【図３】紙搬送装置を模式的に示す側面図である。
【図４】図３の紙搬送装置の腰付けユニットを示す正面図である。
【符号の説明】
【００４６】
１０  プリンタ
１６  プラテン
５４  ピンチローラ
５６  搬送ローラ
５９  排紙ローラ
１００  腰付けユニット
１０２，１０４  回転軸
１１２  上面側ローラ
１１４  下面側ローラ
【図１】
2006124136.tif 000003
【図２】
2006124136.tif 000004
【図３】
2006124136.tif 000005
【図４】
2006124136.tif 000006